(57)【要約】【課題】閉状態では気密性の高い構造でありながら、開け易い薄葉紙収容容器を提供する。【解決手段】取出部Ｔを有する収容体１０と、収容体１０に取出部Ｔを閉塞するように取り付けられる蓋体２０と、を備えた収容容器１において、蓋体２０は、開口部２１ａが形成された支持部２１と、開口部２１ａを開閉するように回動可能に設けられた蓋部２２と、開口部２１ａの周縁に上方に突出するよう設けられた環状の第１突出部２１ｃと、蓋部２２の下面に下方に突出するよう設けられ、蓋部２２の閉状態において第１突出部２１ｃの外面に当接して第１突出部２１ｃと共に気密状態を形成する環状の第２突出部２２２と、蓋部２２の上面において当該蓋部２２の前端部２２ａ近傍に設けられた取手部３０と、を備え、蓋部２２の閉状態において取手部３０に引っ張り力を加えることにより、第１突出部２１ｃと第２突出部２２２とが離間して気密状態が解除される。【選択図】図３
2014193745.tif 000002
【特許請求の範囲】
【請求項１】
内側に収容した薄葉紙を取り出す取出部を上面に有する収容体と、前記収容体に対して前記取出部を閉塞するように取り付けられる蓋体と、を備えた薄葉紙収容容器において、
前記蓋体は、
前記取出部を囲う開口部が形成された支持部と、
前記開口部を開閉するように前記支持部に回動可能に設けられた蓋部と、
前記支持部の前記開口部の周縁に上方に突出するよう設けられた環状の第１突出部と、
前記蓋部の下面に下方に突出するよう設けられ、前記蓋部の閉状態において前記第１突出部の外面又は内面に当接して前記第１突出部と共に気密状態を形成する環状の第２突出部と、
前記蓋部の上面において当該蓋部の自由端部近傍に設けられた取手部と、
を備え、
前記蓋部の閉状態において前記取手部に引っ張り力を加えることにより、前記第１突出部と前記第２突出部とが離間して気密状態が解除されるように構成されていることを特徴とする薄葉紙収容容器。
【請求項２】
前記取手部は、前記蓋部の自由端部から基端部に向かう方向に沿って延在し、
前記取手部の一端部は、前記蓋部の自由端部近傍において前記蓋部に回動可能に連結され、前記取手部の他端部は、自由端部となっていることを特徴とする請求項１に記載の薄葉紙収容容器。
【請求項３】
前記蓋部の上面には、前記取手部を収容可能な凹部が形成されていることを特徴とする請求項２に記載の薄葉紙収容容器。
【請求項４】
前記取手部の他端部には、当該他端部に引っ張り力を加える際に指を引っ掛ける指掛け部が備えられることを特徴とする請求項２又は３に記載の薄葉紙収容容器。
【請求項５】
前記取手部の下面には、凸部が備えられることを特徴とする請求項２〜４の何れか一項に記載の薄葉紙収容容器。
【請求項６】
前記取手部の一端部は、前記第１突出部と連結されていることを特徴とする請求項２〜５の何れか一項に記載の薄葉紙収容容器。
【請求項７】
前記第１突出部の外面及び前記第２突出部の内面の少なくとも一方には軟質部材が備えられ、
前記蓋部の閉状態において、前記第１突出部が前記第２突出部の内面に当接して気密状態が形成されることを特徴とする請求項１〜６の何れか一項に記載の薄葉紙収容容器。
【発明の詳細な説明】
【技術分野】
【０００１】
本発明は、薄葉紙を収容する薄葉紙収容容器に関する。
【背景技術】
【０００２】
従来、清拭や化粧などに使用される衛生用品として、紙や不織布等のシートにアルコールなどの液体成分を含浸させたウェットシートなどの薄葉紙が知られている。このような薄葉紙は、使用するまでに乾燥してしまわないように、気密性を有する袋や容器などに収容されて提供されるのが通例である。
例えば、特許文献１には、内部に薄葉紙を収容した軟質容器の上面に、開口部を有する蓋枠と、蓋枠の開口部を開閉可能とする板状の蓋材とを設けた容器が記載されている。蓋枠は、軟質容器の上面に固着する基板にリング状の立上り壁を設け、立上り壁の内部に円形の開口部を形成した構成である。また、蓋材は、蓋枠に蝶番部によって傾動可能に設けられ、内面に係止片を備え、開口部を蓋材で閉塞している状態において係止片が立上り壁の内面に密着して容器の内部を気密とする構成である。
【先行技術文献】
【特許文献】
【０００３】
【特許文献１】特開２０００−２１１６８０号公報
【発明の概要】
【発明が解決しようとする課題】
【０００４】
上記特許文献１に記載の容器においては、蓋材を開ける場合、使用者は板状の蓋材の周縁の一部を指の先端で上方に押し上げる動作を行うようになっている。
しかしながら、かかる容器では、指を当接させる部分（力を加える部分）が小さいことに加え、容器の気密性の高さから、蓋材を開けるために十分な力を加え難く、蓋材が開けにくいという問題があった。また、蓋材をくり返し開閉することによる立上り壁及び係止片の潰れを考慮して、これら立上り壁及び係止片を大きくした場合には、蓋材を開けるためにより大きな力が必要となって、開けにくさはより顕著である。
かかる問題は、特に、指先の不自由なお年寄りや手袋を着用した状態で容器を開けたい介護者などにとっては切実なものとなっていた。
【０００５】
本発明の目的は、閉状態では気密性の高い構造でありながら、開け易い薄葉紙収容容器を提供することである。
【課題を解決するための手段】
【０００６】
以上の課題を解決するため、
請求項１に記載の発明は、
内側に収容した薄葉紙を取り出す取出部を上面に有する収容体と、前記収容体に対して前記取出部を閉塞するように取り付けられる蓋体と、を備えた薄葉紙収容容器において、
前記蓋体は、
前記取出部を囲う開口部が形成された支持部と、
前記開口部を開閉するように前記支持部に回動可能に設けられた蓋部と、
前記支持部の前記開口部の周縁に上方に突出するよう設けられた環状の第１突出部と、
前記蓋部の下面に下方に突出するよう設けられ、前記蓋部の閉状態において前記第１突出部の外面又は内面に当接して前記第１突出部と共に気密状態を形成する環状の第２突出部と、
前記蓋部の上面において当該蓋部の自由端部近傍に設けられた取手部と、
を備え、
前記蓋部の閉状態において前記取手部に引っ張り力を加えることにより、前記第１突出部と前記第２突出部とが離間して気密状態が解除されるように構成されていることを特徴とする。
【０００７】
また、請求項２に記載の発明は、請求項１に記載の薄葉紙収容容器において、
前記取手部は、前記蓋部の自由端部から基端部に向かう方向に沿って延在し、
前記取手部の一端部は、前記蓋部の自由端部近傍において前記蓋部に回動可能に連結され、前記取手部の他端部は、自由端部となっていることを特徴とする。
【０００８】
また、請求項３に記載の発明は、請求項２に記載の薄葉紙収容容器において、
前記蓋部の上面には、前記取手部を収容可能な凹部が形成されていることを特徴とする。
【０００９】
また、請求項４に記載の発明は、請求項２又は３に記載の薄葉紙収容容器において、
前記取手部の他端部には、当該他端部に引っ張り力を加える際に指を引っ掛ける指掛け部が備えられることを特徴とする。
【００１０】
また、請求項５に記載の発明は、請求項２〜４の何れか一項に記載の薄葉紙収容容器において、
前記取手部の下面には、凸部が備えられることを特徴とする。
【００１１】
また、請求項６に記載の発明は、請求項２〜５の何れか一項に記載の薄葉紙収容容器において、
前記取手部の一端部は、前記第１突出部と連結されていることを特徴とする。
【００１２】
また、請求項７に記載の発明は、請求項１〜６の何れか一項に記載の薄葉紙収容容器において、
前記第１突出部の外面及び前記第２突出部の内面の少なくとも一方には軟質部材が備えられ、
前記蓋部の閉状態において、前記第１突出部が前記第２突出部の内面に当接して気密状態が形成されることを特徴とする。
【発明の効果】
【００１３】
本発明によれば、閉状態では気密性の高い構造でありながら、開け易い薄葉紙収容容器とすることができる。
【図面の簡単な説明】
【００１４】
【図１】本発明に係る薄葉紙収容容器の閉状態の一例を示す斜視図である。
【図２】図１の薄葉紙収容容器の開動作時の一例を示す斜視図である。
【図３】図１の薄葉紙収容容器の開状態の一例を示す斜視図である。
【図４】図１のIV−IV線における蓋体の断面図である。
【図５】図２のV−V線における蓋体の断面図である。
【図６】図３のVI−VI線における蓋体の断面図である。
【図７】蓋体の変形例を示すための図である。
【図８】取手部の変形例を示すための図である。
【図９】取手部の変形例を示すための図である。
【図１０】取手部の変形例を示すための図である。
【発明を実施するための形態】
【００１５】
以下に、図を参照しつつ、本発明の実施の形態を詳細に説明する。但し、発明の範囲は、図示例に限定されない。
【００１６】
先ず、本実施形態の薄葉紙収容容器（以下、単に「収容容器」という）１の構成について説明する。
なお、以下の説明では、収容容器１を水平に置いた状態において、その平面視長手方向を左右方向、平面視短手方向を前後方向、高さ方向を上下方向とする。
【００１７】
収容容器１は、図１〜３に示すように、内部にウェットシート（薄葉紙）Ｓが収容された袋状の収容体１０と、収容体１０に対して当該収容体１０の上面の取出部Ｔを閉塞するように取り付けられた蓋体２０と、蓋体２０の上面に設けられた取手部３０と、を備えて構成される。
【００１８】
収容体１０は、軟包装材料からなるフィルム１１で構成された直方体状のピロー包装体である。
フィルム１１は、例えば軟質合成樹脂からなり、その素材は、内部の気密性を確保できるものであれば特に制限されないが、好ましくは、熱可塑性樹脂、例えば、ポリエチレン（ＰＥ）、ポリプロピレン（ＰＰ）、ポリエチレンテレフタラート（ＰＥＴ）等をフィルム状にしたものがよい。更に、アルミ層を中層にラミネートしたものであれば、バリア性が高くなるため、より好ましい。
【００１９】
収容体１０の下面側の中央部には、左右方向に沿って、フィルム１１の対向する側縁部同士を重ねた状態で貼り合わせた図示しない貼合部がある。また、収容体１０の左右両端部には、上下のフィルム１１同士を貼り合わせた貼合部１０ａ，１０ｂがある。
【００２０】
また、収容体１０の上面側の中央部においては、図３に示すように、フィルム１１に対して略楕円形状の開口部１２が形成されている。そして、開口部１２を覆うように、摘み部１３ａを有する蓋材１３が貼付されている。蓋材１３の下面においては、摘み部１３ａ及び開口部１２との対向領域以外の領域に、図示しない粘着剤層が設けられており、この粘着剤層を介して、フィルム１１と蓋材１３とが剥離可能に粘着されている。ここで「粘着」とは、再剥離および再封止が可能な状態をいう。
かかる収容体１０においては、開口部１２及び蓋材１３により、内側に収容したウェットシートＳを取り出す取出部Ｔが構成されている。
なお、ウェットシートＳは、紙、不織布等のシートに、水、アルコール等の液体成分を含浸させたものであればよく、特に制限されるものではない。
【００２１】
蓋体２０は、収容体１０に対して、取出部Ｔを閉塞するように取り付けられている。
蓋体２０は、図３に示すように、取出部Ｔを囲う大きさの開口部２１ａが形成された支持部２１と、開口部２１ａを開閉するように支持部２１に回動可能に設けられた蓋部２２と、を備えて構成されている。
支持部２１及び蓋部２２は、例えば硬質合成樹脂からなり、その素材は、内部の気密性を確保できるものであれば特に制限されないが、好ましくは、熱可塑性樹脂、例えば、ポリエチレン（ＰＥ）、ポリプロピレン（ＰＰ）、ポリエチレンテレフタラート（ＰＥＴ）、ポリアミド（ＰＡ）、ＡＢＳ(Acrylonitrile Butadiene Styrene）樹脂等を用いることができる。
【００２２】
支持部２１は、外形が略平面視長方形状で、中央部に開口部２１ａの形成された板状の枠体である。支持部２１は、開口部２１ａが収容体１０の取出部Ｔを囲う位置となるよう配されて収容体１０の上面に接合される。このため、開口部２１ａから取出部Ｔが露出するようになっている。
また、支持部２１の後縁部２１ｂは、蓋部２２の後側壁部２２１ｂの下端部と連結されてヒンジ部として機能している。
【００２３】
また、支持部２１の開口部２１ａの周縁には、上方に向かって突出した環状の第１突出部２１ｃが備えられている。
かかる第１突出部２１ｃは、蓋部２２を閉状態とした場合に、図４に示すように、蓋部２２の第２突出部２２２（後述）の内面に当接して容器の内部を気密状態とする。
また、第１突出部２１ｃの前側中央部の外面には、蓋部２２の閉状態において、蓋部２２の突起部２２２ａ（後述）を係止するための凹部（係止部）２１ｄが形成されている。
【００２４】
蓋部２２は、左右両縁部及び後縁部が直線状で、前縁部が曲線状に形成された板状の天面部２２１を有している。天面部２２１は、その周縁から下方に向かって延出する前側壁部２２１ａ、後側壁部２２１ｂ、及び左右両側壁部２２１ｃ、２２１ｄ、を備えている。
また、後側壁部２２１ｂの下端部は、支持部２１の後縁部２１ｂと連結されてヒンジ部として機能しており、蓋部２２は、かかるヒンジ部を介して支持部２１に対して回動可能となっている。
【００２５】
蓋部２２の天面部２２１の下面には、下方に向かって突出した環状の第２突出部２２２が備えられている。
かかる第２突出部２２２は、蓋部２２を閉状態とした場合に、図４に示すように、支持部２１の第１突出部２１ｃの外面に当接して容器の内部を気密状態とする。
また、第２突出部２２２の前側中央部の内面には、後方に向かって突出した突起部２２２ａが設けられている。かかる突起部２２２ａは、蓋部２２を閉状態とした場合に、第１突出部２１ｃの凹部２１ｄに入り込んで係止される係止爪である。
【００２６】
蓋部２２の天面部２２１の上面には、取手部３０を収納するための凹部２２３が形成されている。
凹部２２３は、取手部３０と同一、或いは取手部３０より僅かに大きな寸法となるよう設定される。本実施形態においては、凹部２２３は、前後方向の長さが取手部３０の前後方向の長さより僅かに長く、取手部３０の収納時に、使用者が指を入れることの可能な間隙Ｋが凹部２２３の後方に形成される程度の大きさとなっている。また、本実施形態においては、凹部２２３は、その深さが取手部３０の厚さと略同一であって、取手部３０の収納時に、取手部３０と天面部２２１の上面が略面一となるようになっている。
また、天面部２２１において凹部２２３の前方には、取手部３０の前延出部３１（後述）を通すための貫通口２２４が形成されている。
【００２７】
取手部３０は、蓋部２２の天面部２２１の上面に設けられ、図２、５等に示すように、蓋部２２の開操作を行う際に使用されるものである。
本実施形態においては、取手部３０は、蓋体２０（支持部２１及び蓋部２２）と同一の素材により形成されており、このため蓋体２０と一体成型することが可能となっている。
なお、取手部３０に使用される素材は、蓋部２２の開操作に掛かる引っ張り力に耐え得る強度を有するものであれば上記以外のものを使用しても良い。
【００２８】
取手部３０は、蓋部２２の天面部２２１の上面の左右方向中央部において、前後方向（蓋部２２の自由端部から基端部に向かう方向）に沿って延在する長尺な板体である。
かかる取手部３０は、その前端部３０ａが、蓋部２２の前端部（自由端部）２２ａ近傍に回動可能に連結されて、後端部３０ｂが自由端部となっている。
具体的に、取手部３０は、その前端縁から下方に延出する前延出部３１と、その後端縁から下方に延出する後延出部３２と、を備えている。
前延出部３１は、図５等に示すように、蓋部２２に形成された貫通口２２４を介して蓋部２２の天面部２２１の下面側に達し、その先端（下端）が第２突出部２２２の外面に連結されている。また、第２突出部２２２の、前延出部３１が連結された箇所の内面には、突起部２２２ａが位置し、これにより、前延出部３１は突起部２２２ａに連結されていることとなる。
このようにして取手部３０の前端部３０ａが蓋部２２の前端部２２ａ近傍に連結され、取手部３０は蓋部２２に対して回動可能となる。
また、後延出部３２は、指掛け部であって、取手部３０を回動させる際に、使用者が指を引っ掛けることができる。
【００２９】
次に、収容容器１の開閉動作について説明する。
収容容器１の蓋体２０を開く場合、使用者は、凹部２２３の後方の間隙Ｋに指を入れ、取手部３０の後端部３０ｂを摘んで上方に持ち上げ（図２、５参照）、その後、取手部３０を上方又は後上方に引っ張るように動作を行う。
これにより、閉状態の蓋部２２の前端部２２ａに、上方又は後上方に引っ張られる力が付与され、突起部２２２ａが凹部２１ｄから外れ、また、第１突出部２１ｃと第２突出部２２２が離間して気密状態が解除され、蓋部２２が開状態となる（図３、６参照）。
このように、取手部３０を備えることで、気密性が高く開けづらい状態となっている蓋部２２に対して当該蓋部２２を開けるための力（引っ張り力）を容易に付与することができ、蓋体２０を容易に開状態とすることができる。
また、このとき、取手部３０の前端部３０ａが、前延出部３１により第２突出部２２２（突起部２２２ａ）と連結されているため、取手部３０と連動して係止された状態の突起部２２２ａを凹部２１ｄから外すと共に、第１突出部２１ｃと第２突出部２２２とを離間させることができ、より開状態とし易い構成となっている。
なお、蓋体２０を開状態とした後、取手部３０を凹部２２３に収納することとしても良い。
【００３０】
蓋体２０を開いた後には、使用者は、収容体１０上面に設けられた蓋材１３を剥離させ、開口部１２を介してウェットシートＳを取り出し、その後、蓋材１３を再封止する。
【００３１】
一方、収容容器１の蓋体２０を閉じる場合、使用者は、蓋部２２を上面側から下方に押すように動作を行い、更に、取手部３０が凹部２２３に収納されていない場合には、取手部３０の後端部３０ｂを上面側から下方に押すように動作を行う。
これにより、突起部２２２ａが凹部２１ｄに入り込み、また、第１突出部２１ｃと第２突出部２２２とが当接して気密状態が形成され、蓋部２２が閉状態となる。また、取手部３０は、蓋部２２に形成された凹部２２３に収納される（図１、４参照）。
この状態において、蓋部２２と取手部３０の上面が略面一であるので、蓋体２０の閉状態において、取手部３０が邪魔となることがない。
【００３２】
以上のように、本実施形態によれば、内側に収容したウェットシートＳを取り出す取出部Ｔを上面に有する収容体１０と、収容体１０に対して取出部Ｔを閉塞するように取り付けられる蓋体２０と、を備えた収容容器１において、蓋体２０は、取出部Ｔを囲う開口部２１ａが形成された支持部２１と、開口部２１ａを開閉するように支持部２１に回動可能に設けられた蓋部２２と、支持部２１の開口部２１ａの周縁に上方に突出するよう設けられた環状の第１突出部２１ｃと、蓋部２２の下面に下方に突出するよう設けられ、蓋部２２の閉状態において第１突出部２１ｃの外面に当接して第１突出部２１ｃと共に気密状態を形成する環状の第２突出部２２２と、蓋部２２の上面において当該蓋部２２の前端部２２ａ近傍に設けられた取手部３０と、を備え、蓋部２２の閉状態において取手部３０に引っ張り力を加えることにより、第１突出部２１ｃと第２突出部２２２とが離間して気密状態が解除されるように構成されている。
このため、取手部３０を引っ張ることで、気密状態を形成する第１突出部２１ｃと第２突出部２２２との気密状態を解除させる力を付与することができるので、閉状態において気密性が高い構造の容器であっても、容易に開くことができる。
また、蓋体２０をくり返し開閉することによる第１突出部２１ｃと第２突出部２２２の潰れを考慮し、これら第１突出部２１ｃ及び第２突出部２２２を大きく形成した場合、蓋体２０を開状態にするのにより大きな力が必要となるが、本実施形態のような取手部３０の設けられた蓋体２０であれば、蓋体２０を開けるのに必要な力を容易に付与でき、開けづらいといった扱いづらさが起こることがない。即ち、より気密性の高い容器とすることが可能であって、そうした場合にも、開作業が困難になることがない。
また、蓋体２０に取手部３０を設けただけの簡単な構造となっているため、大掛かりな金型成型を必要とせず、生産効率が良い。
また、例えば蓋体２０に内蔵する金属のバネなどの異なる素材のパーツが存在しないため、一体成型が可能であって、組立てが簡単となる。
【００３３】
また、本実施形態によれば、取手部３０は、前後方向に沿って延在し、取手部３０の前端部３０ａは、蓋部２２の前端部２２ａ近傍において蓋部２２に回動可能に連結され、取手部３０の後端部３０ｂは、自由端部となっている。
これにより、取手部３０に対して、蓋部２２を上方又は後斜め上方に引っ張る力を付与しやすく、より開け易くすることができる。
【００３４】
また、本実施形態によれば、蓋部２２の上面には、取手部３０を収容可能な凹部２２３が形成されている。
このため、蓋部２２を開く動作を行うとき以外には、凹部２２３に取手部３０を収容できるので、取手部３０が邪魔になることがない。
よって、収容容器１を店頭で陳列する際、或いは収容容器１を鞄等にて持ち運ぶ際に、取手部３０が嵩張らないため使い勝手が良い。
【００３５】
また、本実施形態によれば、取手部３０の後端部３０ｂには、当該後端部３０ｂに引っ張り力を加える際に指を引っ掛けるための後延出部３２が備えられる。
このため、取手部３０を掴む動作を行い易く、使い勝手が良い。
【００３６】
また、本実施形態によれば、取手部３０の前端部３０ａは、第１突出部２１ｃと連結されている。
このため、取手部３０を引っ張った際に、これと連動して第１突出部２１ｃと第２突出部２２２とを離間させることができることとなり、蓋体２０をより容易に開くことができる。
【００３７】
なお、具体的な細部構造等については、適宜に変更可能であることは勿論である。
例えば、図７に示すように、気密状態をより高めるため、第１突出部２１ｃの外面には第１の軟質部材４１が備えられ、第２突出部２２２の内面には第２の軟質部材４２が備えられた構成とすることもできる。
第１の軟質部材４１及び第２の軟質部材４２としては、例えば、薬液耐性を有するゴムやエラストマーを用いることができる。
かかる構成の場合、蓋体２０を閉状態とした際に、第１の軟質部材４１及び第２の軟質部材４２を、それぞれ蓋部２２及び支持部２１に強く密着させるため、突起部２２２ａ及び凹部２１ｄを、第１の軟質部材４１及び第２の軟質部材４２を設けない場合と比較して大きく形成する必要がある。
そして、蓋体２０を開けるためにより大きな力が必要となったとしても、本実施形態のように取手部３０の設けられた蓋体２０であれば、蓋体２０を開けるのに必要な力を容易に付与できるので、開けづらいといった問題が起こることがない。
即ち、より気密性の高い容器とすることが可能であって、そうした場合にも、開作業を困難にすることがない。
なお、上記図７の例では、第１突出部２１ｃ及び第２突出部２２２に、それぞれ第１の軟質部材４１及び第２の軟質部材４２が備えられた場合を例示して説明したが、軟質部材は、第１突出部２１ｃの外面及び第２突出部２２２の内面のどちらか一方にだけ備えることとしても良い。即ち、第１突出部２１ｃの外面及び第２突出部２２２の内面の少なくとも一方に軟質部材を備えれば、気密性を高めることができる。
【００３８】
また、図８に示すように、取手部３０の下面に凸部３３を備えることとしても良い。
このようにすることで、取手部３０に引っ張り力を加える際に、より扱いやすくすることができる。
【００３９】
また、上記実施形態においては、指掛け部として、取手部３０に後延出部３２を設けた構成を例示して説明したが、図９に示すように、指掛け部として、取手部３０の後端部３０ｂに、左右対称な後方に凸となる円弧部３４，３４を設けることとしても良い。
かかる構成であれば、使用時に、二本の指を円弧部３４，３４にそれぞれ掛けて引っ張ることができるため、より力をかけやすく、開けやすくすることができる。
なお、この場合、天面部２２１の上面に、円弧部３４，３４を収納可能な形状の凹部２２３が形成される。この際、凹部２２３においては、円弧部３４、３４の円弧の内側にあたる領域に、使用者が指を入れることの可能な間隙Ｋ，Ｋが形成されることが好ましい。
【００４０】
また、図１０に示すように、指掛け部として、取手部３０の後端部３０ｂに、楕円形状の枠部材３５を設けることとしても良い。
かかる構成であっても、使用時に、指を枠部材３５に掛けて引っ張ることができるため、より力をかけやすく、開けやすくすることができる。
なお、この場合にも、天面部２２１の上面に、楕円形状の枠部材３５を収納可能な形状の凹部２２３が形成される。この際、凹部２２３においては、楕円形状の枠部材３５の内側にあたる領域に、使用者が指を入れることの可能な間隙Ｋが形成されることが好ましい。
【００４１】
なお、上記実施形態においては、第１突出部２１ｃが第２突出部２２２の内側に位置して嵌合される構成を例示して説明したが、第１突出部２１ｃが第２突出部２２２の外側に位置するようこれらが当接して気密状態が形成される構成としても良い。
【００４２】
また、上記実施形態では、取手部３０が前後方向に沿って延在する長尺な板体である場合を例示して説明したが、取手部３０は、蓋部２２の上面において当該蓋部２２の前端部２２ａ近傍に設けられ、当該蓋部２２の閉状態において蓋部２２を開くための引っ張り力を加えることのできるものであれば、その形状はこれに限定されない。
【００４３】
また、上記実施形態では、取手部３０の前端部３０ａが、第２突出部２２２と連結されている構成を例示して説明したが、取手部３０の前端部３０ａは、蓋部２２の前端部２２ａ近傍において蓋部２２に回動可能に連結されていれば良く、必ずしも第２突出部２２２と連結されていなくても良い。
例えば、図９や図１０に示すように、取手部３０の前端部３０ａが、蓋部２２の前側壁部２２１ａに達していても良い。
【００４４】
また、上記実施形態では、第１突出部２１ｃに凹部（係止部）２１ｄが設けられ、第２突出部２２２に突起部２２２ａが設けられた構成を例示して説明したが、凹部２１ｄ及び突起部２２２ａを、第１突出部２１ｃ及び第２突出部２２２以外の場所に設けることとしても良い。図示は省略するが、例えば、支持部２１の前端部に上方に突出した突出部を設けて当該突出部に凹部を形成すると共に、蓋部２２の前側壁部２２１ａに突起部２２２ａを設ける等の構成とすることもできる。
【００４５】
また、上記実施形態では、指掛け部を設けた構成を例示して説明したが、指掛け部は必ずしも設けなくても良い。
【００４６】
また、上記実施形態では、収容体１０は、フィルム１１に蓋材１３が剥離可能に粘着されて開口部１２を開閉する構成を例示して説明したが、蓋材１３を備えない構成であっても良い。この際、第１突出部２１ｃ及び第２突出部２２２の高さを大きくしたり、第１突出部２１ｃ及び第２突出部２２２に、第１の軟質部材４１及び第２の軟質部材４２を設けたりして気密状態の高い（開けるためにより大きな力を必要とする）構成としたとしても、本実施形態の蓋体２０を有する容器であれば、蓋体２０を開けるのに必要な力を容易に付与でき、開けづらいといった扱いづらさが起こることがない。
【００４７】
また、上記実施形態では、収容体１０が軟包装材料からなるフィルム１１である構成を例示して説明したが、これ以外にも、例えば、収容体１０を、硬質プラスチックや紙材で形成することとしても良い。また、これらの硬質プラスチックや紙材の容器の中に、軟包装材料からなるフィルム１１で覆われたウェットシートＳを入れて使用することとしても良い。
【符号の説明】
【００４８】
１  薄葉紙収容容器
１０  収容体
１０ａ，１０ｂ  貼合部
１１  フィルム
１２  開口部
１３  蓋材
Ｔ  取出部
１３ａ  摘み部
２０  蓋体
２１  支持部
２１ａ  開口部
２１ｂ  後縁部
２１ｃ  第１突出部
２１ｄ  凹部（係止部）
２２  蓋部
２２ａ  前端部
２２１  天面部
２２１ａ  前側壁部
２２１ｂ  後側壁部
２２１ｃ、２２１ｄ  左右両側壁部
２２２  第２突出部
２２２ａ  突起部
２２３  凹部
２２４  貫通口
Ｋ  間隙
３０  取手部
３０ａ  前端部
３０ｂ  後端部
３１  前延出部
３２  後延出部
３３  凸部
３４  円弧部
３５  枠部材
４１  第１の軟質部材
４２  第２の軟質部材
Ｓ  ウェットシート（薄葉紙）
【図１】
2014193745.tif 000003
【図２】
2014193745.tif 000004
【図３】
2014193745.tif 000005
【図４】
2014193745.tif 000006
【図５】
2014193745.tif 000007
【図６】
2014193745.tif 000008
【図７】
2014193745.tif 000009
【図８】
2014193745.tif 000010
【図９】
2014193745.tif 000011
【図１０】
2014193745.tif 000012